(57)【特許請求の範囲】
【請求項１】
リング状の光入射面、及び、リング状の光出射面を有するリング状の導光体と、
前記光入射面に対向する位置に、所定間隔でリング状に配置された複数の発光素子とを備え、
前記導光体は、前記複数の発光素子から出射された光をそれぞれコリメートする複数のコリメート部を有し、
前記複数のコリメート部の各々は、前記複数の発光素子の各々から、前記複数のコリメート部の各々の光軸に対して傾いて出射される光を、前記光軸の方向にコリメートするための光反射面を有し、
前記光反射面は、前記光軸に対して前記導光体の外周側に設けられた外側反射面と、前記光軸に対して前記導光体の内周側に設けられた内側反射面と、前記光軸に対して前記導光体の周方向に設けられた側面側反射面と、前記内側反射面及び前記側面側反射面の間、並びに、前記外側反射面及び前記側面側反射面の間に設けられた大半径反射面とを含み、
前記外側反射面、前記内側反射面及び前記側面側反射面の少なくとも一つの前記光軸側の各端部から前記光軸までの距離は、前記大半径反射面の前記光軸側の端部から前記光軸までの距離より小さい
照明装置。
【請求項２】
前記導光体の前記光出射面に設けられ、階段状の構造を有する光出射体をさらに備える
請求項１に記載の照明装置。
【請求項３】
前記外側反射面、前記内側反射面、前記側面側反射面及び前記大半径反射面の少なくとも一つは、湾曲面から構成され、前記湾曲面の前記光軸を含む面内における曲率半径が、前記発光素子に近いほど小さい
請求項１又は２に記載の照明装置。
【請求項４】
前記外側反射面、前記内側反射面及び前記側面側反射面の光出射面側端部は、前記導光体の光出射面側端部よりも、前記発光素子側に位置する
請求項１〜３のいずれか１項に記載の照明装置。
【請求項５】
前記複数のコリメート部のうち、前記導光体の周方向において隣接する二つのコリメート部は連結部において連結され、
前記側面側反射面は、前記連結部よりも前記発光素子側に設けられる
請求項１〜４のいずれか１項に記載の照明装置。
【請求項６】
請求項１〜５のいずれか１項に記載の照明装置を、車体の前面に備える自動車。
【発明の詳細な説明】
【技術分野】
【０００１】
本発明は、照明装置及びそれを備える自動車に関する。
【背景技術】
【０００２】
自動車用の前照灯として、ＬＥＤ（Ｌｉｇｈｔ  Ｅｍｉｔｔｉｎｇ  Ｄｉｏｄｅ）などの発光素子が用いられている。
【０００３】
例えば、特許文献１には、ＬＥＤから出射された光を、リフレクタを用いて反射させることにより配光を調整する前照灯が記載されている。
【先行技術文献】
【特許文献】
【０００４】
【特許文献１】特開２００５−１０８５５４号公報
【発明の概要】
【発明が解決しようとする課題】
【０００５】
ところで、自動車事故を減らすために、自動車の前面の照明装置を、夜間に限らず昼間においても点灯させることにより、自車の存在を対向車や歩行者に認識させる取り組みが実施されている。
【０００６】
このような用途に用いられる照明装置としては、以下のようなものが考えられる。すなわち、リング状であり、後端側に光入射面、前端側に光出射面を有する導光体と、導光体の光入射面側に、所定間隔でリング状に配置された複数の発光素子とを備える照明装置である。さらに、当該導光体の各発光素子に対向する光入射面部分には、発光素子から出射された光をコリメートするコリメート部が設けられている。ここで、コリメート部は配光を調整するための光学素子であり、発光素子の外周に設けられた反射面を有し、発光素子から出射された光を前端側の光出射面に向けて反射させることで、光出射面から前方に出射される光量を増加させようとしている。
【０００７】
しかしながら、上記照明装置においては、コリメート部の反射面の面積を十分に大きくすることができないため、コリメートされない光の割合が大きい。したがって、上記照明装置においては、光出射面から前方に出射される光量が十分でなく、対向車、歩行者などからの被視認性が低い。
【０００８】
そこで本発明は、前方に出射される光量が増大されることにより、被視認性が改善された照明装置を提供することを目的とする。
【課題を解決するための手段】
【０００９】
上記目的を達成するために、本発明に係る照明装置の一態様は、リング状の光入射面、及び、リング状の光出射面を有するリング状の導光体と、前記光入射面に対向する位置に、所定間隔でリング状に配置された複数の発光素子とを備え、前記導光体は、前記複数の発光素子から出射された光をそれぞれコリメートする複数のコリメート部を有し、前記複数のコリメート部の各々は、前記複数の発光素子の各々から、前記複数のコリメート部の各々の光軸に対して傾いて出射される光を、前記光軸の方向にコリメートするための光反射面を有し、前記光反射面は、前記光軸に対して前記導光体の外周側に設けられた外側反射面と、前記光軸に対して前記導光体の内周側に設けられた内側反射面と、前記光軸に対して前記導光体の周方向に設けられた側面側反射面と、前記内側反射面及び前記側面側反射面の間、並びに、前記外側反射面及び前記側面側反射面の間に設けられた大半径反射面とを含み、前記外側反射面、前記内側反射面及び前記側面側反射面の少なくとも一つの前記光軸側の各端部から前記光軸までの距離は、前記大半径反射面の前記光軸側の端部から前記光軸までの距離より小さい。
【発明の効果】
【００１０】
以上の構成によれば、前方に照射される光量が増大されることにより、被視認性が改善された照明装置を提供することができる。
【図面の簡単な説明】
【００１１】
【図１】実施の形態に係る照明装置を搭載した自動車の正面図
【図２】実施の形態に係る照明装置の断面図
【図３】実施の形態に係る照明装置の分解斜視図
【図４】実施の形態に係る照明装置の配光部材の断面図
【図５】実施の形態に係る導光体の光入射面を示す外観図
【図６】実施の形態に係る導光体の、図５に示すＡ−Ａ断面で切断した場合の断面図
【図７】実施の形態に係る導光体の斜視図
【図８】実施の形態に係る導光体のコリメート部による光のコリメート作用を説明するための基板及びコリメート部の断面図
【図９】実施の形態に係る導光体の光出射面側を示す外観図
【図１０】図９に示す導光体のＢ部の拡大図と、当該拡大図のＧ−Ｇ断面図、Ｋ−Ｋ断面図、Ｈ−Ｈ断面図及びＪ−Ｊ断面図とを示す図
【図１１】本実施の形態に係るコリメート部の光反射面を示す斜視図
【図１２】実施の形態に係るコリメート部のコリメートに寄与しない面を示す斜視図
【図１３】比較例の導光体の光出射面側を示す外観図
【図１４】図１３に示す導光体のＣ部の拡大図と、当該拡大図のＤ−Ｄ断面図及びＥ−Ｅ断面図とを示す図
【図１５】比較例のコリメート部の光反射面を示す斜視図
【図１６】比較例のコリメート部のコリメートに寄与しない面を示す斜視図
【発明を実施するための形態】
【００１２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態）
［全体構成］
まず、実施の形態に係る照明装置の全体構成について、図１〜３を参照しながら説明する。
【００１５】
図１は、本実施の形態に係る照明装置を搭載した自動車の正面図である。
【００１６】
図２は、本実施の形態に係る照明装置のＹＺ平面に平行な面による断面図である。
【００１７】
図３は、本実施の形態に係る照明装置の分解斜視図である。
【００１８】
図１に示すように、実施の形態に係る照明装置３は、自動車１の前面の左右に備えられる。また、自動車１の前面には、照明装置３以外に、前照灯２が備えられる。
【００１９】
前照灯２は、主に夜間に点灯して前方（図１のＺ軸の正方向）を照明する照明装置である。
【００２０】
本実施の形態に係る照明装置３は、夜間だけでなく昼間においても点灯されるものであり、対向車、歩行者などに自車の存在を認識させるために点灯される。
【００２１】
図２及び図３に示すように、照明装置３は、本体ケース４、本体ケース４の前方側（図２のＺ軸の正方向）の開口部内に装着された基板５及び配光部材６、当該開口部を覆うカバー７を備える。照明装置３は、さらに、本体ケース４の後方側（図２のＺ軸の負方向）の開口部に装着された回路８、及び、当該開口部を覆う後方カバー９を備える。
【００２２】
本体ケース４は、前方側に基板５及び配光部材６を、後方側に回路８を収納するケースである。本体ケース４は、例えばアルミニウムなどの金属で形成されており、基板５及び回路８などから発生する熱を外部に放出するためのヒートシンクとしても機能する。
【００２３】
基板５は、リング状の形状を有し、前方側に、所定間隔でリング状に配置された複数の発光素子１０を備える。本実施の形態においては、基板５に１６個の発光素子１０が配置される例を示す。
【００２４】
基板５に配置される発光素子１０は、前方側に光を放出する素子である。発光素子１０は、例えばＬＥＤなどの固体発光素子から構成される。
【００２５】
配光部材６は、基板５上の発光素子１０から出射された光をコリメートして前方に出射するためのリング状の光学素子である。なお、ここで、コリメートとの用語は、光を平行光に近づけることと定義される。すなわち、コリメートとの用語の意味するところは、光を完全に平行光化することだけに限定されない。
【００２６】
配光部材６は、透光性材料を用いて形成されており、例えばＰＭＭＡ（アクリル）、ポリカーボネートなどの透明樹脂材料、又は、ガラス材料などの透明材料を用いて形成される。配光部材６については、後で詳述する。
【００２７】
カバー７は、本体ケース４の前方側開口部を覆う略半球状の部材である。カバー７は、配光部材６から出射された光を透過させるために、透光性材料を用いて形成されており、例えばＰＭＭＡ（アクリル）、ポリカーボネートなどの透明樹脂材料、又は、ガラス材料などの透明材料を用いて形成される。
【００２８】
回路８は、外部から電力を供給されて、発光素子１０に適した電圧及び電流を発光素子１０に供給する電気回路である。
【００２９】
後方カバー９は、本体ケース４の後方側開口部を覆い、かつ、照明装置３の外部から内部に電力を供給するための端子を備える円板状の部材である。
【００３０】
（配光部材）
次に、本実施の形態に係る照明装置３の配光部材６の概要について図４〜７を参照しながら説明する。
【００３１】
図４は、本実施の形態に係る照明装置３の配光部材６の断面図である。
【００３２】
図５は、本実施の形態に係る導光体６１の光入射面を示す外観図である。
【００３３】
図６は、本実施の形態に係る導光体６１の、図５に示すＡ−Ａ断面で切断した場合の断面図である。
【００３４】
図７は、本実施の形態に係る導光体６１の斜視図である。
【００３５】
図４に示すように、配光部材６は、発光素子１０側に設けられたリング状の導光体６１と、光が出射する側に設けられた光出射体６２とを備える。本実施の形態においては、出射光を三つの方向に配光可能とするために、光出射体６２に階段状の構造が形成されているが、光出射体６２の構造はこれに限られない。例えば、光出射体６２の光が出射する側に平坦な面が形成されていてもよい。なお、導光体６１と光出射体６２とは、一体的に形成されてもよいし、別体として形成されてもよい。
【００３６】
また、図５〜７に示すように、導光体６１には、入射光をコリメートするための構造が形成されている。以下、当該構造について詳細に説明する。
【００３７】
図５に示すように、導光体６１は、複数のコリメート部６００が、導光体６１の周方向に連結部６０１で連結されて構成されている。本実施の形態の照明装置３においては、導光体６１の一例として、１６個のコリメート部６００から構成される例を示す。１６個のコリメート部６００の各々は、基板５上の１６個の発光素子１０の各々に対向する位置に配置される。すなわち、コリメート部６００と発光素子１０とは１対１に対応する。コリメート部６００は、対向する位置に配置された発光素子１０から出射された光をコリメートする。コリメート部６００については、後で詳述する。
【００３８】
図６に示すように、導光体６１は、発光素子１０からの光が入射される面であるリング状の光入射面６３と、光が出射される面であるリング状の光出射面６４とを有する。導光体６１においては、光入射面６３から入射された光がコリメートされて光出射面６４から出射される。
【００３９】
次に、図５に示すコリメート部６００の概要について図８を参照しながら説明する。
【００４０】
図８は、本実施の形態に係る導光体６１のコリメート部６００による光のコリメート作用を説明するための基板５及びコリメート部６００の断面図である。
【００４１】
図８に示すように、コリメート部６００は、発光素子１０側に、光屈折面６７、内側面６６及び光反射面６５を有する。図８に示す一点鎖線は、コリメート部６００及び発光素子１０の光軸を示す。また、図８に示す発光素子１０から延びる矢印は、発光素子１０から出射される光の光路を示す。本実施の形態においては、コリメート部６００の光軸及び発光素子１０の光軸が一致する例を示すが、これらの光軸は実質的に一致していればよい。これらの光軸のずれの許容範囲は、照明装置３に要求される特性に応じて適宜決定される。なお、コリメート部６００の光軸は、光屈折面６７の頂点において、光屈折面６７と直交する線である。あるいは、コリメート部６００の光軸は、当該光軸と、発光素子１０の光軸とを一致させた場合に、コリメート部６００から光軸方向に出射される光量が最大となる軸と定義されてもよい。
【００４２】
光屈折面６７は、発光素子１０から出射された光を屈折させて光軸方向にコリメートする凸状面である。
【００４３】
内側面６６は、発光素子１０から出射された光を透過させる面である。内側面６６を透過した光の少なくとも一部は、光反射面６５に入射する。
【００４４】
光反射面６５は、内側面６６を透過した発光素子１０からの光を光軸方向に近い方向に反射させる反射面である。図８に示すように、光反射面６５は、発光素子１０側（光軸側）の端部（図８の光軸からの距離ｒの点）から、光出射面６４側の端部（図８の光軸からの距離Ｒの点）まで延びる湾曲面である。当該湾曲面は、光軸を含む面内における曲率半径が発光素子１０に近いほど小さくなるように形成されている。これにより、コリメート部６００から光軸方向に出射される光量がより増大される。
【００４５】
本実施の形態においては、コリメート部６００は、光反射面６５の発光素子１０側（光軸側）の端部から光軸まで距離ｒが異なる複数の光反射面６５を備える。光反射面６５については、後で詳述する。
【００４６】
次に、本実施の形態に係る導光体６１のコリメート部６００の詳細形状について図９及び図１０を参照しながら説明する。
【００４７】
図９は、本実施の形態に係る導光体６１の光出射面６４側を示す外観図である。
【００４８】
図１０は、図９に示す導光体６１のＢ部の拡大図（ａ）と、当該拡大図のＧ−Ｇ断面図（ｂ）、Ｋ−Ｋ断面図（ｃ）、Ｈ−Ｈ断面図（ｄ）及びＪ−Ｊ断面図（ｅ）とを示す図である。
【００４９】
図９に示すＢ部には、一つのコリメート部６００が含まれる。
【００５０】
図１０の各断面図に示すように、コリメート部６００の光反射面６５は、内側反射面６１１、外側反射面６１２、側面側反射面６１３及び６１４、並びに、大半径反射面６２１、６２２、６２３及び６２４を含む。
【００５１】
図１０のＧ−Ｇ断面図（ｂ）に示すように、内側反射面６１１及び外側反射面６１２は、それぞれコリメート部６００の光軸に対して、導光体６１の内周側及び外周側に設けられた反射面である。
【００５２】
図１０のＨ−Ｈ断面図（ｄ）に示すように、側面側反射面６１３及び６１４は、コリメート部６００の光軸に対して導光体６１の周方向に設けられた反射面である。
【００５３】
図１０のＫ−Ｋ断面図（ｃ）及びＪ−Ｊ断面図（ｅ）に示すように、大半径反射面６２１及び６２４は、それぞれ内側反射面６１１と側面側反射面６１３及び６１４との間に設けられた反射面である。また、大半径反射面６２２及び６２３は、それぞれ外側反射面６１２と側面側反射面６１４及び６１３との間に設けられた反射面である。ここで、大半径反射面６２１、６２２、６２３及び６２４の光軸側（発光素子１０側）の端部から光軸までの距離は、内側反射面６１１、外側反射面６１２、側面側反射面６１３及び６１４の光軸側（発光素子１０側）の端部から光軸までの距離より大きい。
【００５４】
以上で述べたコリメート部６００の作用などについて、図１１〜１６を参照しながら説明する。
【００５５】
図１１は、本実施の形態に係るコリメート部６００の光反射面を示す斜視図である。
【００５６】
図１２は、本実施の形態に係るコリメート部６００のコリメートに寄与しない面を示す斜視図である。
【００５７】
図１３は、比較例の導光体の光出射面側を示す外観図である。
【００５８】
図１４は、図１３に示す導光体のＣ部の拡大図（ａ）と、当該拡大図のＤ−Ｄ断面図（ｂ）及びＥ−Ｅ断面図（ｃ）とを示す図である。
【００５９】
図１５は、比較例のコリメート部の光反射面を示す斜視図である。
【００６０】
図１６は、比較例のコリメート部のコリメートに寄与しない面を示す斜視図である。
【００６１】
後述する図１５の比較例との比較を容易にするために、図１１において、コリメート部６００の外面のうち、側面側反射面６１４、外側反射面６１２及び大半径反射面６２２にハッチングが施されている。なお、図１１において、ハッチングが施されていない連結部６０１及び外周面６０３は、コリメートに寄与しない部分である。
【００６２】
また、後述する図１６の比較例との比較を容易にするために、図１２において、コリメート部６００の外面のうち、コリメートに寄与しない連結部６０１、内周面６０２及び外周面６０３にハッチングが施されている。
【００６３】
図１３に示す比較例の導光体７１は、コリメート部６５０の反射面の形状において、本実施の形態と相違し、その他の構成において一致する例である。図１３及び図１４に示すように、比較例のコリメート部６５０においては、光反射面６６１の光軸側（図１４のＤ−Ｄ断面図の下側）の端部から光軸までの距離が、一定である。なお、比較例においては、当該距離は、本実施の形態の大半径反射面６２１などの光軸側端部から光軸までの距離とほぼ同じである。
【００６４】
上述した図１１の本実施の形態との比較を容易にするために、図１５において、コリメート部６５０の外面のうち、光反射面６６１にハッチングが施されている。なお、図１５において、ハッチングが施されていない連結部６５１及び外周面６５３は、コリメートに寄与しない部分である。
【００６５】
また、上述した図１２の本実施の形態との比較を容易にするために、図１６において、コリメート部６５０の外面のうち、コリメートに寄与しない連結部６５１、内周面６５２及び外周面６５３にハッチングが施されている。
【００６６】
図１１と図１５とを比較すると、本実施の形態に係るコリメート部６００の方が、比較例のコリメート部６５０より、コリメートに寄与する反射面の面積が大きいことが分かる。また、図１２と図１６とを比較すると、本実施の形態に係るコリメート部６００の方が、比較例のコリメート部６５０より、コリメートに寄与しない面の面積が小さいことが分かる。
【００６７】
これは、本実施の形態に係るコリメート部６００において、光軸から反射面の光出射面６４側端部までの距離が比較的小さい反射面では、光軸から反射面の発光素子１０側（光軸側）端部までの距離を比較例より小さくしていることに起因する。
【００６８】
また、図１０〜１２に示すように、コリメート部６００において、外側反射面６１２、内側反射面６１１、側面側反射面６１３及び６１４の光出射面６４側端部は、コリメート部６００の光出射面６４側端部よりも、発光素子１０側に位置する。これにより、各反射面の光出射面６４側端部が、光出射面６４に到達することがない。したがって、コリメート部６００の各反射面の光出射面側端部の断面が鋭角とならないため、各反射面の光出射面６４側端部が破損されることを抑制できる。
【００６９】
［効果など］
以上に述べたように、本実施の形態に係る導光体６１のコリメート部６００は、光反射面６５として、光軸に対して導光体６１の外周側及び内周側にそれぞれ設けられた外側反射面６１２及び内側反射面６１１を含む。また、コリメート部６００は、光反射面６５として、光軸に対して導光体６１の周方向に設けられた側面側反射面６１３及び６１４をさらに含む。また、コリメート部６００は、光反射面６５として、内側反射面６１１及び各側面側反射面の間、並びに、外側反射面６１２及び各側面側反射面の間に設けられた大半径反射面６２１、６２２、６２３及び６２４をさらに含む。そして、外側反射面６１２、内側反射面６１１、側面側反射面６１３及び６１４の光軸側の各端部から光軸までの距離は、大半径反射面６２１、６２２、６２３及び６２４の光軸側の端部から光軸までの距離より小さい。
【００７０】
これにより、本実施の形態に係るコリメート部６００においては、比較例のコリメート部６５０より、反射面の面積が大きく、コリメートに寄与しない面の面積が小さい。したがって、本実施の形態に係るコリメート部６００においては、比較例のコリメート部６５０より、前方（光軸方向）に出射される光量を増大することができる。すなわち、本実施の形態に係る照明装置３においては、前方に照射される光量が増大されることにより、被視認性が改善される。
【００７１】
さらに、本実施の形態に係るコリメート部６００においては、光反射面６５の面積、すなわち、出射光の断面積が増大されるため、導光体６１から出射される光の粒状感（輝度の点在）を抑制することもできる。
【００７２】
また、本実施の形態に係るコリメート部６００においては、外側反射面６１２、内側反射面６１１、側面側反射面６１３及び６１４、並びに、大半径反射面６２１、６２２、６２３及び６２４は、湾曲面から構成される。さらに、当該湾曲面の光軸を含む面内における曲率半径が、発光素子１０に近いほど小さい。
【００７３】
これにより、コリメート部６００から光軸方向に出射される光量がより増大される。
【００７４】
また、本実施の形態に係るコリメート部６００においては、外側反射面６１２、内側反射面６１１、側面側反射面６１３及び６１４の光出射面６４側端部は、コリメート部６００の光出射面６４側端部よりも、発光素子１０側に位置する。
【００７５】
これにより、各反射面の光出射面６４側端部が、光出射面６４に到達することがない。したがって、コリメート部６００の各反射面の光出射面６４側端部における断面が鋭角とならないため、各反射面の光出射面６４側端部が破損されることを抑制できる。
【００７６】
また、本実施の形態に係る導光体６１においては、複数のコリメート部６００のうち、導光体６１の周方向に隣接する二つのコリメート部６００が連結部６０１において連結され、側面側反射面６１３及び６１４は、連結部６０１よりも発光素子１０側に設けられる。
【００７７】
これにより、隣接するコリメート部６００同士を一体に形成することが可能となり、導光体６１全体としてつながった光を出射することができる。
【００７８】
また、本実施の形態に係る照明装置３を車体の前面に備える自動車１においては、照明装置３から前方に照射される光量が増大されることにより、対向車、歩行者などからの被視認性が改善される。
【００７９】
（変形例など）
以上、本発明の一態様に係る照明装置について、実施の形態に基づいて説明したが、本発明は、これらの実施の形態に限定されない。
【００８０】
例えば、上記実施の形態においては、内側反射面６１１、外側反射面６１２、側面側反射面６１３及び６１４の光軸側の端部から光軸までの距離が、いずれも、大半径反射面６２１、６２２、６２３及び６２４の光軸側の端部から光軸までの距離より小さい。しかしながら、本発明は、これに限られない。例えば、内側反射面６１１、外側反射面６１２、側面側反射面６１３及び６１４のいずれか一つの光軸側の端部から光軸までの距離が、大半径反射面６２１、６２２、６２３及び６２４の光軸側（発光素子１０側）の端部から光軸までの距離より小さければよい。
【００８１】
また、上記実施の形態においては、コリメート部６００の光反射面６５の構成として、８個の反射面からなる構成を用いたが、本発明はこれに限られない。例えば、さらに多数の反射面からなる構成を用いてもよい。
【００８２】
また、上記実施の形態においては、コリメート部６００の各反射面が湾曲面から構成され、当該湾曲面の光軸を含む面内における曲率半径が、発光素子１０に近いほど小さい構成が用いられたが、本発明はこれに限られない。例えば、上記各反射面のうち少なくとも一つがそのような湾曲面である構成が用いられてもよい。
【００８３】
また、上記実施の形態においては、照明装置３を自動車１の前面に備える例を示したが、照明装置３の用途はこれに限られない。例えば、照明装置３を信号機等に適用してもよい。
【００８４】
その他、実施の形態に対して当業者が思いつく各種変形を施して得られる形態、又は、本発明の趣旨を逸脱しない範囲で実施の形態又は変形例における構成要素及び機能を任意に組み合わせることで実現される形態も本発明に含まれる。
【符号の説明】
【００８５】
１  自動車
３  照明装置
１０  発光素子
６１  導光体
６３  光入射面
６４  光出射面
６５  光反射面
６００  コリメート部
６０１  連結部
６１１  内側反射面
６１２  外側反射面
６１３、６１４  側面側反射面
６２１、６２２、６２３、６２４  大半径反射面
【図１】
0006340692.tif 000002
【図２】
0006340692.tif 000003
【図３】
0006340692.tif 000004
【図４】
0006340692.tif 000005
【図５】
0006340692.tif 000006
【図６】
0006340692.tif 000007
【図７】
0006340692.tif 000008
【図８】
0006340692.tif 000009
【図９】
0006340692.tif 000010
【図１０】
0006340692.tif 000011
【図１１】
0006340692.tif 000012
【図１２】
0006340692.tif 000013
【図１３】
0006340692.tif 000014
【図１４】
0006340692.tif 000015
【図１５】
0006340692.tif 000016
【図１６】
0006340692.tif 000017